【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
第１フレームレートの第１期間の動画像データと、前記第１フレームレートよりも高い第２フレームレートの第２期間の動画像データとを含む動画像コンテンツを保存する動画保存装置であって、
前記第２期間の動画像データのフレームレートを前記第２フレームレートから前記第１フレームレートに変換する変換手段と、
フレームレートが前記第１フレームレートに変換された前記第２期間の動画像データを記憶する第１格納手段と、
前記第２フレームレートの前記第２期間の動画像データをデータ量を削減して記憶する第２格納手段と、
を有することを特徴とする動画保存装置。
【請求項２】
前記変換手段は、フレームを間引くことにより、前記第２期間の動画像データのフレームレートを前記第２フレームレートから前記第１フレームレートに変換する
ことを特徴とする請求項１に記載の動画保存装置。
【請求項３】
記憶された動画像データを読み出して表示装置に出力する出力手段を更に有し、
前記出力手段は、前記第２格納手段により記憶された前記第２期間の動画像データを読み出した場合に、当該動画像データのデータ量を元のデータ量まで復元して表示装置に出力する
ことを特徴とする請求項１または２に記載の動画保存装置。
【請求項４】
前記出力手段は、
第１モードと第２モードのいずれかのモードで、記憶された動画像データを読み出して前記表示装置に出力し、
前記第１モードでは、前記第１格納手段により記憶された前記第２期間の動画像データを読み出し、
前記第２モードでは、前記第２格納手段により記憶された前記第２期間の動画像データを読み出す
ことを特徴とする請求項３に記載の動画保存装置。
【請求項５】
動画像データを格納する際に、前記第１期間と前記第２期間の切り替わり位置のフレームにフレームレートが切り替わることを表すフレームレート変更情報を付加する付加手段を更に有し、
前記第１格納手段は、前記第１期間の動画像データと、フレームレートが前記第１フレームレートに変換された前記第２期間の動画像データとを第１記憶部に記憶し、
第２格納手段は、前記第２フレームレートの前記第２期間の動画像データをデータ量を削減して第２記憶部に記憶し、
前記出力手段は、前記第２モードでは、前記第１記憶部および前記第２記憶部のいずれか一方の記憶部からフレーム毎に順次動画像データを読み出し、読み出したフレームに前記フレームレート変更情報が付加されていた場合には、読み出し元を他方の記憶部に切り替え、前記一方の記憶部から最後に読み出されたフレームに続くフレームから順に動画像データを読み出す
ことを特徴とする請求項４に記載の動画保存装置。
【請求項６】
前記第２格納手段は、圧縮処理により前記第２フレームレートの前記第２期間の動画像データのデータ量を削減する
ことを特徴とする請求項１〜５のいずれか１項に記載の動画保存装置。
【請求項７】
前記第２格納手段は、解像度を下げることにより前記第２フレームレートの前記第２期間の動画像のデータ量を削減する
ことを特徴とする請求項１〜５のいずれか１項に記載の動画保存装置。
【請求項８】
第１フレームレートの第１期間の動画像データと、前記第１フレームレートよりも高い第２フレームレートの第２期間の動画像データとを含む動画像コンテンツを保存する動画保存装置の制御方法であって、
前記第２期間の動画像データのフレームレートを前記第２フレームレートから前記第１フレームレートに変換する変換ステップと、
フレームレートが前記第１フレームレートに変換された前記第２期間の動画像データを記憶する第１格納ステップと、
前記第２フレームレートの前記第２期間の動画像データをデータ量を削減して記憶する第２格納ステップと、
を有することを特徴とする動画保存装置の制御方法。
【請求項９】
前記変換ステップでは、フレームを間引くことにより、前記第２期間の動画像データのフレームレートを前記第２フレームレートから前記第１フレームレートに変換する
ことを特徴とする請求項８に記載の動画保存装置の制御方法。
【請求項１０】
記憶された動画像データを読み出して表示装置に出力する出力ステップを更に有し、
前記出力ステップでは、前記第２格納ステップにより記憶された前記第２期間の動画像データを読み出した場合に、当該動画像データのデータ量を元のデータ量まで復元して表示装置に出力する
ことを特徴とする請求項８または９に記載の動画保存装置の制御方法。
【請求項１１】
前記出力ステップでは、
第１モードと第２モードのいずれかのモードで、記憶された動画像データを読み出して前記表示装置に出力し、
前記第１モードでは、前記第１格納ステップにより記憶された前記第２期間の動画像データを読み出し、
前記第２モードでは、前記第２格納ステップにより記憶された前記第２期間の動画像データを読み出す
ことを特徴とする請求項１０に記載の動画保存装置の制御方法。
【請求項１２】
動画像データを格納する際に、前記第１期間と前記第２期間の切り替わり位置のフレームにフレームレートが切り替わることを表すフレームレート変更情報を付加する付加ステップを更に有し、
前記第１格納ステップでは、前記第１期間の動画像データと、フレームレートが前記第１フレームレートに変換された前記第２期間の動画像データとを第１記憶部に記憶し、
第２格納ステップでは、前記第２フレームレートの前記第２期間の動画像データをデータ量を削減して第２記憶部に記憶し、
前記出力ステップでは、前記第２モードでは、前記第１記憶部および前記第２記憶部のいずれか一方の記憶部からフレーム毎に順次動画像データを読み出し、読み出したフレームに前記フレームレート変更情報が付加されていた場合には、読み出し元を他方の記憶部に切り替え、前記一方の記憶部から最後に読み出されたフレームに続くフレームから順に動画像データを読み出す
ことを特徴とする請求項１１に記載の動画保存装置の制御方法。
【請求項１３】
前記第２格納ステップでは、圧縮処理により前記第２フレームレートの前記第２期間の動画像データのデータ量を削減する
ことを特徴とする請求項８〜１２のいずれか１項に記載の動画保存装置の制御方法。
【請求項１４】
前記第２格納ステップでは、解像度を下げることにより前記第２フレームレートの前記第２期間の動画像のデータ量を削減する
ことを特徴とする請求項８〜１２のいずれか１項に記載の動画保存装置の制御方法。
【手続補正２】
【補正対象書類名】明細書
【補正対象項目名】００１１
【補正方法】変更
【補正の内容】
【００１１】
上述した課題を解決するために、本発明の動画保存装置は、第１フレームレートの第１期間の動画像データと、前記第１フレームレートよりも高い第２フレームレートの第２期間の動画像データとを含む動画像コンテンツを保存する動画保存装置であって、前記第２期間の動画像データのフレームレートを前記第２フレームレートから前記第１フレームレートに変換する変換手段と、フレームレートが前記第１フレームレートに変換された前記第２期間の動画像データを記憶する第１格納手段と、前記第２フレームレートの前記第２期間の動画像データをデータ量を削減して記憶する第２格納手段と、を有することを特徴とする。
【手続補正３】
【補正対象書類名】明細書
【補正対象項目名】００１２
【補正方法】変更
【補正の内容】
【００１２】
また、本発明の動画保存装置の制御方法は、第１フレームレートの第１期間の動画像データと、前記第１フレームレートよりも高い第２フレームレートの第２期間の動画像データとを含む動画像コンテンツを保存する動画保存装置の制御方法であって、前記第２期間の動画像データのフレームレートを前記第２フレームレートから前記第１フレームレートに変換する変換ステップと、フレームレートが前記第１フレームレートに変換された前記
第２期間の動画像データを記憶する第１格納ステップと、前記第２フレームレートの前記第２期間の動画像データをデータ量を削減して記憶する第２格納ステップと、を有することを特徴とする。